(57)【要約】【課題】眼鏡を装着する際の鼻に接触する支持痕や化粧崩れ、テンプル接触部分の側頭部の痛みや不快感、眼鏡とマスクを併用する事で眼鏡が曇るなどの不快感、鼻が低いと眼鏡が下がってくるなどの不快感もなくす眼鏡補助パッドの提供。【解決手段】眼鏡のテンプル部分（１）の内側に脱着自在で粘着度の高い接着面（２−３）を持つ眼鏡補助パッド（２）を粘着させ、眼鏡補助パッド（２）の中の芯材（２−１）は柔軟なクッション素材を用いて適度な弾力性を確保し、眼鏡補助パッド（２）の外側に当たる樹脂製カバー（２−２）にプラスチック素材を用いる事である程度幅のあるテンプルにも柔軟に対応できる事を特徴とした眼鏡補助パッドである。【選択図】  図１
2018060051.tif 000002
【特許請求の範囲】
【請求項１】
市販の眼鏡フレームのテンプルに脱着可能な眼鏡補助パッドであり、前記眼鏡補助パッドは芯材（２−１）の３面をコの字形状の柔軟性のある樹脂製カバー（２−２）で覆われており、前記カバーのコの字の開口側にあたる芯材の側面に、何度も容易に脱着可能な接着面（２−３）を固着したことを特徴とする眼鏡補助パッド。
【請求項２】
前記芯材（２−１）が、弾力性のあるクッション素材であることを特徴とする請求項１記載の眼鏡補助パッド。
【請求項３】
前記接着面（２−３）が、何度も容易に脱着できる粘着材を使用してあることを特徴とする請求項１または請求項２記載の眼鏡補助パッド。
【請求項４】
前記眼鏡補助パッドの上部装飾面(３)に装飾部材が取り付けられていることを特徴とする請求項１から請求項３のいずれかに記載の眼鏡補助パッド。
【発明の詳細な説明】
【技術分野】
【０００１】
本発明は、眼鏡を装着する際の様々な不快な症状を解決する眼鏡補助パッドである
【背景技術】
【０００２】
眼鏡をかける際、鼻が低いと眼鏡がずり落ちる、長時間の眼鏡使用による鼻と眼鏡の接触部の赤味や長時間赤味を放置していた事によるシミ、女性の場合は日頃の化粧崩れなどの美容面での問題、テンプルが接触している側頭部の痛みや不快感、眼鏡とマスク併用での眼鏡の曇りなどの視界を遮る事での危険性などの問題があった。
【０００３】
しかしながら眼鏡をかける際の様々な不快な症状を解決する眼鏡自体は既に市場に出回っている。
【特許文献１】特許4836152号
【特許文献２】特許5961776号
【特許文献３】実用新案登録3177822号
【特許文献４】特開2016-80992
【発明の開示】
【発明が解決しようとする課題】
【０００４】
前記先行技術特許文献１はテンプルの幅を選んでしまうので使い回しが効かないだけでなく、器具自体がテンプルからはみ出て見た目が悪いと言う問題点を抱えている。
【０００５】
前記先行技術特許文献２、特許文献４は、眼鏡を本体またはテンプルごと買い替える必要があり費用が掛かってしまう、手持ちの眼鏡に装着できないという問題点がある。
【０００６】
前記先行技術特許文献３はテンプルの先端のモダンが太いと挿入できないだけでなく、例え挿入できたとしても眼鏡支持補助具とテンプル部分に隙間が生じ、支持補助具自体が回転してしまうなどの問題点があった。
【０００７】
そこで本発明は既に持っている眼鏡に容易に脱着可能なもので、テンプル先端から挿入せず粘着材で容易に脱着可能な眼鏡補助パッドを提供する事を目的とする。
【課題を解決するための手段】
【０００８】
本発明の請求項1に係る眼鏡補助パッドは、眼鏡フレームのテンプル内側の好きな部分に自在に粘着できる眼鏡補助パッドであり、コの字型でフレームを上下から挟み込みことでテンプルの微妙な太さの違いにも柔軟に対応できる素材を用いる事を特徴とする。  
【０００９】
本発明の請求項2に係る眼鏡補助パッドは、何度も粘着可能な素材を使用する事でテンプルの内側部分に容易に貼り付ける事が可能であるため、他の眼鏡にもすぐに取り付け可能な特徴がある。
【００１０】
本発明の請求項3に係る眼鏡補助パッドは、内部にクッション性の高い素材を用いる事で眼鏡補助パッドとテンプルの先端のモダンとで鼻当てを浮かせ眼鏡を支えて装着する事を特徴とする。
【００１１】
本発明の請求項3に係る眼鏡補助パッドは、図面２の３の部分に装飾を施すことができる為、機能性だけでなく、これまでの前記先行技術の機能重視だけのものに比べて正面から見ると目立たず、上から見た時に見た目も良いという事を特徴とする。
【発明の効果】
【００１２】
本発明によれば、請求項１、請求項２、請求項３、請求項４に記載の眼鏡補助パッドを着用する事で、眼鏡の鼻パッドを鼻部分で支える必要が無くなる、または接触しても圧が直接鼻との接触部分に係らないため、化粧剥がれを防げるだけでなく、側頭部の不快感や痛み、眼鏡とマスクの併用による眼鏡の曇りも軽減でき視界を遮る事が無いので、美容だけでなく様々な不快感から回避出るという効果がある。
【００１３】
また、本発明による眼鏡補助パッドは、構造や材料も簡単なので製作も比較的容易であり、他の眼鏡にもすぐに粘着させることができる為、手軽で経済的、かつ効果が絶大であり、美容にも大きく貢献している。
【図面の簡単な説明】
【００１４】
【図１】眼鏡補助パッドを眼鏡に装着した時の図である。
【図２】眼鏡補助パッド本体の拡大図である。
【図３】眼鏡補助パッドの試作品を眼鏡に取り付けたサンプルである。
【発明を実施するための形態】
【００１５】
以下、本発明に係る実施形態について、図１、図２、図３を参照して説明する。
図１は、本発明にかかる眼鏡補助パッド（２）を実際に眼鏡のテンプル部分(１)に装着した際の実施形態を示す図である。
眼鏡補助パッド(２)は接着面(２−３)に何度も粘着可能な性質を持った粘着剤を用い、眼鏡のレンズフレーム部分とテンプルの留め金からおおよそ１〜１．５cm後方部分、すなわち、こめかみに当たる部分に装着するのが望ましい。
図２は、眼鏡補助パッド(２)の拡大図である。
眼鏡補助パッドは緩衝剤の役目をするクッション性をもった芯材（２−１）を使用するのが望ましい。前記芯材の３面をコの字形状の柔軟性のあるプラスチックなど樹脂製カバー（２−２）で覆い、前記カバーのコの字の開口側にあたる芯材の側面に、何度も容易に脱着可能な接着面（２−３）を用いる事で他の眼鏡にも容易に取り付け可能にした。
そうする事で、装着する際の眼鏡補助パッドの位置の調整が容易であるという事、また他の眼鏡にも容易に取り付けられるという事、不要な際にはすぐに取り外しが出来る利便性がある。
テンプルが細い場合や太い場合に備えて、ある程度３段階程度の幅の眼鏡補助パッドを用意するが、樹脂製カバーは多少柔軟性があるので少しの幅であれば対応可能である。
図３は、眼鏡補助パットを実際に作成した試作品の写真である。
図２の眼鏡補助パット本体は本体上部に装飾を施すことが出来る面(３)を持っているので、ネイルサロンなどでも使用されているシルバーストーンやスパンコール、スワロフスキーなどをその前記装飾面にちりばめて豪華にデコレーションする事が出来る。これにより流行に敏感な女性などが不快な症状の緩和だけでなく、ファッションに合わせて眼鏡に合う装飾パッドを楽しめる。また、この装飾は後付けできるようなものを提供しても良い。装飾キットなどで個人個人が自由に本体の上部装飾面(３)に装飾できるようにしても良いと思う。
【符号の説明】
【００１６】
１      眼鏡のテンプル部分
２      眼鏡補助パッド
２−１  芯材
２−２  樹脂製カバー
２−３  接着面
３      上部装飾面
【図１】
2018060051.tif 000003
【図２】
2018060051.tif 000004
【図３】
2018060051.tif 000005